(57)【要約】  【課題】  使用時の薬剤の拡散面積をより広くすることができ、必要なときにだけ薬剤を拡散させることができる薬剤拡散装置を提供する。  【解決手段】  本発明の薬剤拡散装置１は、薬剤の保持が可能な網状の薬剤保持部材１２と、薬剤保持部材が取り付けられるシート部材１１とを有している。シート部材１１は薬剤の拡散の抑制が可能な材質により構成されて、巻くことができる。薬剤保持部材１２はシート部材１１の貫通部１１ａに設けられている。そして、シート部材１１を巻くと薬剤保持部材１２を覆うことができ、また、シート部材１１を広げると、薬剤保持部材１２の揮散をさせることができる。【選択図】  図１
2005295883.tif 000002
【特許請求の範囲】
【請求項１】
薬剤の保持が可能な薬剤保持部材と、巻くことができるものであって前記薬剤保持部材が取り付けられるシート部材とを有し、前記シート部材は薬剤保持部材と共に所定の方向に巻いて薬剤保持部材を覆って薬剤の揮散を抑制することができ、前記シート部材を広げることにより薬剤保持部材の露出が可能であることを特徴とする薬剤拡散装置。
【請求項２】
薬剤の保持が可能な薬剤保持部材と、巻くことができるものであって前記薬剤保持部材が取り付けられるシート部材とを有し、前記シート部材は薬剤保持部材と共に所定の方向に巻いて薬剤保持部材を覆うことができ、前記シート部材を広げることにより薬剤保持部材の露出が可能であり、さらに、前記シート部材には表裏を貫通する貫通部が設けられ、薬剤保持部材が前記貫通部に取り付けられていることを特徴とする薬剤拡散装置。
【請求項３】
シート部材は薬剤が透過し難い材質により構成されていることを特徴とする請求項１又は２記載の薬剤拡散装置。
【請求項４】
薬剤保持部材は網状であることを特徴とする請求項３記載の薬剤拡散装置。
【請求項５】
薬剤保持部材は多重構造であることを特徴とする請求項４記載の薬剤拡散装置。
【請求項６】
シート部材には軸部材が設けられ、前記軸部材を軸としてシート部材の巻き付けが可能であることを特徴とする請求項１〜５のいずれか記載の薬剤拡散装置。
【請求項７】
係止手段が設けられ、前記係止手段はシート部材を巻いた状態で維持することができることを特徴とする請求項１〜６のいずれか記載の薬剤拡散装置。
【請求項８】
シート部材を吊り下げる吊り下げ手段を有することを特徴とする請求項１〜７のいずれか記載の薬剤拡散装置。
【請求項９】
薬剤保持部材に保持される薬剤が、常温で揮散して防虫効果を発揮する薬剤であることを特徴とする請求項１〜８のいずれか記載の薬剤拡散装置。
【発明の詳細な説明】
【技術分野】
【０００１】
本発明は、薬剤拡散装置に関するものである。また、本発明の薬剤拡散装置は、防虫剤等の常温で揮散する薬剤を大気中に拡散させる用途に適するものである。
【背景技術】
【０００２】
揮散性の薬剤を加熱して蒸散させる虫除け器が知られている。当該虫除け器では、薬剤をヒータなどによって加熱し、薬剤を蒸散させて虫除けを行う。
【０００３】
一方、有効成分が常温で揮散して、防虫効果を発揮する薬剤もあり、かかる薬剤を採用する場合には、ヒータ等の熱を発生させるための部材は必ずしも必須ではない。
【０００４】
このような常温で揮散して、防虫効果を発揮する薬剤は、加熱させる場合よりも揮散させにくいので、狭い空間で使用する場合は別として、使用時にはできるだけ広い面積から揮散させることが望ましい。そのため、薬剤をしみこませた薬剤保持部材の揮散可能な面積を広くしたり、また、薬剤保持部材を網状として、風が通過しやすいようにしたりして、薬剤の揮散性が高まるようにしている。
【０００５】
そして、薬剤を保持した網やカーテンなどを用いることにより、防虫を行う技術が開示されている。（特許文献１及び特許文献２）。
【特許文献１】特開昭６０−１８０５３６号公報
【特許文献２】特開２００３−８１７２１号公報
【発明の開示】
【発明が解決しようとする課題】
【０００６】
特許文献１に記載された従来技術では、薬剤が含有された網はべたついて持ち運び難い場合があり、販売の際に店舗にそのまま並べるのも困難である。さらに薬剤拡散装置は、必要な時だけ薬剤が拡散されることが望ましい。すなわち薬剤拡散装置を使用しない時や、販売に際して薬剤拡散装置を店舗に展示する場合などに薬剤を拡散させないようにすることができれば、薬剤の無駄な消費を防ぐことができる。薬剤拡散装置が常温で揮発する薬剤を使用する場合には、特にこの様な構造であることが望ましい。
【０００７】
また、網やカーテンは一般的に腰がなく定形性がない。そのため、使用時には何らかの手段で姿勢を保持することが望ましく、かかる手段がないと拡散可能な部分を広げることができず薬剤の効率的な揮散が行いにくい。
【０００８】
そこで本発明は、使用時の薬剤の拡散面積をより広くすることができ、必要なときにだけ薬剤を拡散させることができる薬剤拡散装置を提供することを課題とするものである。
【課題を解決するための手段】
【０００９】
そして、上記した目的を達成するための請求項１に記載の発明は、薬剤の保持が可能な薬剤保持部材と、巻くことができるものであって前記薬剤保持部材が取り付けられるシート部材とを有し、前記シート部材は薬剤保持部材と共に所定の方向に巻いて薬剤保持部材を覆って薬剤の揮散を抑制することができ、前記シート部材を広げることにより薬剤保持部材の露出が可能であることを特徴とする薬剤拡散装置である。
【００１０】
請求項１に記載の発明によれば、シート部材を巻くことによって、薬剤保持部材の揮散を抑制することができ、また、シート部材を広げることにより、薬剤の拡散が可能となる。
【００１１】
請求項２に記載の発明は、薬剤の保持が可能な薬剤保持部材と、巻くことができるものであって前記薬剤保持部材が取り付けられるシート部材とを有し、前記シート部材は薬剤保持部材と共に所定の方向に巻いて薬剤保持部材を覆うことができ、前記シート部材を広げることにより薬剤保持部材の露出が可能であり、さらに、前記シート部材には表裏を貫通する貫通部が設けられ、薬剤保持部材が前記貫通部に取り付けられていることを特徴とする薬剤拡散装置である。
【００１２】
請求項２に記載の発明によれば、シート部材を巻いて薬剤保持部材を覆うことによって、薬剤保持部材の揮散を低減させることができ、また、シート部材を広げることにより薬剤の拡散をさせやすい。さらに、薬剤保持部材はシート部材の貫通部に設けられているので、貫通部に風が流れやすく薬剤の揮散効率がよい。
【００１３】
請求項３に記載の発明は、シート部材は薬剤が透過し難い材質により構成されていることを特徴とする請求項１又は２記載の薬剤拡散装置である。
【００１４】
請求項３に記載の発明によれば、シート部材は薬剤が透過し難い材質により構成されているので、シート部材を巻いている状態で確実に薬剤の拡散をより低減させることができる。
【００１５】
請求項４に記載の発明は、薬剤保持部材は網状であることを特徴とする請求項１〜３のいずれか記載の薬剤拡散装置である。
【００１６】
請求項４に記載の発明によれば、薬剤保持部材は網状であるので、風を通しやすく薬剤の揮散効率がよい。
【００１７】
請求項５に記載の発明は、薬剤保持部材は多重構造であることを特徴とする請求項４に記載の薬剤拡散装置である。
【００１８】
請求項５に記載の発明によれば、薬剤保持部材は多重構造であるので、より多くの薬剤を揮散させることが可能となる。
【００１９】
請求項６に記載の発明は、シート部材には軸部材が設けられ、前記軸部材を軸としてシート部材の巻き付けが可能であることを特徴とする請求項１〜５のいずれか記載の薬剤拡散装置である。
【００２０】
請求項６に記載の発明によれば、シート部材には軸部材が設けられ、前記軸部材を軸としてシート部材の巻き付けが可能であるので、シート部材の巻き取り作業が行いやすい。
【００２１】
請求項７に記載の発明は、係止手段が設けられ、前記係止手段はシート部材を巻いた状態で維持することができることを特徴とする請求項１〜６のいずれか記載の薬剤拡散装置である。
【００２２】
請求項７に記載の発明によれば、シート部材を巻いた状態で維持することができる係止手段が設けられているので、薬剤の揮散がされにくい。
【００２３】
請求項８に記載の発明は、シート部材を吊り下げる吊り下げ手段を有することを特徴とする請求項１〜７のいずれか記載の薬剤拡散装置である。
【００２４】
請求項８に記載の発明によれば、シート部材を吊り下げる吊り下げ手段を有するので、シート部材を広げた状態にさせやすい。
【００２５】
薬剤保持部材に保持される薬剤は、例えば、常温で揮散して防虫効果を発揮する薬剤が用いられる（請求項９）。
【発明の効果】
【００２６】
本発明の薬剤拡散装置によれば、使用時の薬剤の拡散面積をより広くすることができ、必要なときにだけ薬剤を拡散させることができる。
【発明を実施するための最良の形態】
【００２７】
以下さらに本発明の具体的実施例について説明する。
図１は、本発明の薬剤拡散装置の使用状態の斜視図である。図２は、本発明の薬剤拡散装置の使用しない状態の斜視図である。図３はシート部材の斜視図である。図４は、本発明の薬剤拡散装置の使用しない状態の切り欠き断面図である。図５は、シート部材の変形例を示す斜視図である。    
【００２８】
本発明の第１の実施形態の薬剤拡散装置１は、図１，図２に示すように、シート部材１１、薬剤保持部材１２、軸部材１３、１４、吊り下げ部材１５及び係止部材１６により構成されている。
薬剤拡散装置１の全体の構造は掛け軸に似た構造であり、図１に示されるように、使用時には広げることができ、図２に示されるように、巻いて棒状とすることができる。
【００２９】
シート部材１１は、図３に示されるように、貫通部１１ａを有する長方形状の樹脂シートであり、長辺部３１、３３と短辺部３２、３４を有している。そして、シート部材１１は可撓性を有し、後述するように短辺部３２側を軸として巻くことができる。
【００３０】
シート部材１１は、薬剤が透過し難い材質により構成されている。
シート部材１１の材質は、ガスバリア性に優れる樹脂を用いることができ、例えば、ポリエチレンテレフタレート、塩化ビニリデン製のフィルムを用いることができる。また、異なる材質の層を有する積層フィルムを用いることができ、この層の一部にアルミの層など、ガスバリア性に優れる層を設けることもでき、例えば、アルミと樹脂の積層フィルムを用いることができる。
そして、樹脂や金属以外の材質、例えば、厚紙や段ボールなどを単独、又は、樹脂や金属と共に積層したものを用いることができる。
【００３１】
図１、図３に示されるように、貫通部１１ａはシート部材１１の表裏を貫通する孔であり、シート部材１１の下方に設けられている。また、貫通部１１ａの形状は長方形状であり、薬剤保持部材１２の形状に合わせている。
【００３２】
そして、貫通部１１ａの上方には、短辺部３４との間に所定の距離を有している。この距離は、シート部材１１を巻くときの一巻きより長く、好ましくは三巻き程度が望ましい。
【００３３】
薬剤保持部材１２は、可撓性を有する網状の部材であり、図１に示されるように、貫通部１１ａに取り付けられている。
薬剤保持部材１２の材質は、合成樹脂繊維や天然繊維などを糸状にし、これを用いて編んだものや、合成樹脂を網状となるように成形したものが用いられている。
薬剤保持部材１２に用いられる繊維の種類としては、ポリエステル、ポリアミドなどの合成繊維、アセテートなどの半合成繊維、レーヨン、キュプラなどの再生繊維などを用いることができる。また、これらの繊維を用いて網状とするときの目付量は平方メートル当たり１〜１００００ｇが望ましい。
【００３４】
薬剤保持部材１２には薬剤が保持されている。この薬剤は、常温で揮散性を有するものである。また、この薬剤は、例えば防虫効果を有するものが挙げられる。なお、「防虫効果」とは「殺虫効果」と「害虫の忌避効果」の両方を包含する概念である。
本実施形態で採用する薬剤は、常温揮散性があり、具体的には、２５℃での蒸気圧が１．３３×１０-4Ｐａ（１×１０-6ｍｍＨｇ）以上である。
【００３５】
防虫効果を有して常温で揮散する有効成分の具体例としては以下のものがある。
１−エチニル−２−メチル−２−ペンテニル  ３−（２−クロロ−２−フルオロビニル）−２，２−ジメチルシクロプロパン−１−カルボキシラート、２，３，５，６−テトラフルオロ−４−メチルベンジル  ３−（２−メチル−１−プロペニル）−２，２−ジメチルシクロプロパンカルボキシラート、２，３，５，６−テトラフルオロ−４−メチルベンジル  ３−（２−クロロ−２−フルオロビニル）−２，２−ジメチルシクロプロパンカルボキシラート、２，３，５，６−テトラフルオロ−４−メチルベンジル  ３−（１−プロペニル）−２，２−ジメチルシクロプロパンカルボキシラート、１−エチニル−２−メチル−２−ペンテニル  （１Ｒ）−３−（２−メチル−１−プロペニル）−２，２−ジメチルシクロプロパンカルボキシラート（一般名：エンペントリン）、２，３，５，６−テトラフルオロベンジル  （１Ｒ）−トランス−３−（２，２−ジクロロビニル）−２，２−ジメチルシクロプロパンカルボキシラート（一般名：トランスフルスリン）、２，３，５，６−テトラフルオロ−４−メトキシメチルベンジル  （１Ｒ）−トランス−３−（１−プロペニル（Ｅ／Ｚ＝約８／１））−２，２−ジメチルシクロプロパンカルボキシラート、２，３，５，６−テトラフルオロ−４−メトキシメチルベンジル  （１Ｒ）−トランス−３−（２−メチル−１−プロペニル）−２，２−ジメチルシクロプロパンカルボキシラート、２，３，５，６−テトラフルオロ−４−メチルベンジル  （１Ｒ）−トランス−３−（１−プロペニル（Ｅ／Ｚ＝約８／１））−２，２−ジメチルシクロプロパンカルボキシラート  １−エチニル−２−メチル−２−ペンテニル  ３−（２−メチル−１−プロペニル）−２，２−ジメチルシクロプロパンカルボキシラート  １−エチニル−２−メチル−２−ペンテニル  ３−（２，２−ジクロロビニル）−２，２−ジメチルシクロプロパンカルボキシラート等のピレスロイド化合物、２，２−ジクロロビニル  ジメチル  ホスフェート、Ｎ，Ｎ−ジエチル−ｍ−トルアミド、カラン−３，４−ジオール。
【００３６】
常温で揮散性を有する薬剤をそのまま薬剤保持部材１２に保持させてもよいが、当該薬剤をエタノール、イソプロピルアルコールなどのアルコール類、ポリエチレングリコール、１，３−ブチレングリコール、エチレングリコールモノブチルエーテル、プロピレングリコールモノメチルエーテル、ジプロピレングリコールモノメチルエーテルなどの多価アルコール類、イソペンタン、軽質イソパラフィンや軽質流動イソパラフィン（出光石油化学：ＩＰソルベント１６２０、２０２８、２８３５  エクソンモービル：アイソパーＥ、Ｇ、Ｈ、Ｌ、Ｍ）、ＪＩＳ１号灯油や２号灯油、アルキルベンゼンなどの炭化水素溶剤、酢酸エチル、ミリスチン酸イソプロピル、アジピン酸ジイソプロピル、クエン酸トリブチルアセテートなどのエステル類、のうちから選択したいずれか、又は、それらの混合物で適宜希釈して得られる溶液を用いて薬剤保持部材１２に保持させることもできる。
【００３７】
薬剤保持部材１２に薬剤を保持させる方法は、薬剤を保持した状態の糸などを用いて網状としてもよく、また、網状としたものに薬剤を浸すなどして薬剤をしみこませてもよい。また、このときの保持される薬剤の量は平方メートル当たり２０ｍｇ〜５００ｇとすることが望ましい。すなわち薬剤の量が過度に多いと薬剤が垂れるといった不具合があり、薬剤の量が少ないと有効期間が短くなってしまうので、薬剤保持部材１２に保持させる薬剤量は、平方メートル当たり２０ｍｇ〜５００ｇが適当である。
【００３８】
薬剤保持部材１２の大きさは、使用される環境条件や薬剤の種類などによって適当な大きさのものが用いられるが、５０〜２０００平方センチメートルのものが好ましい。
また、本実施形態の薬剤保持部材１２では網状のものを一枚だけを用いているが、網状のものを２枚以上重ねて多重構造としてもよい。
【００３９】
軸部材１３及び軸部材１４は、所定の剛性を有する直線状の棒であり、シート部材１１に取り付けられている。軸部材１３は短辺部３２に配置しており、軸部材１４は短辺部３４に配置し、軸部材１３と軸部材１４は対向している。また、軸部材１３及び軸部材１４の長さは、短辺部３２や短辺部３４の長さに対して同じ又はやや長い。そして、軸部材１３及び軸部材１４は、短辺部３２や短辺部３４の全長域で固定されているので、軸部材１３と軸部材１４とを離れる方向に引っ張ると、シート部材１１が平面状となるように伸ばされるようにして広げられる。
【００４０】
図１に示される薬剤拡散装置１においては、軸部材１４にはひも状の吊り下げ部材１５が取り付けられている。そして、薬剤拡散装置１の使用時には、吊り下げ部材１５を何かに引っかけて、軸部材１３の重みでシート部材１１が広がるように構成されている。
【００４１】
また、軸部材１３は円柱棒状であり、図２に示されるように、薬剤拡散装置１を使用しないときには、シート部材１１を巻き付けることができる。シート部材１１を巻くことによって、薬剤保持部材１２を覆うことができる。また、シート部材１１を巻くと、図４に示されるように、貫通部１１ａの部分は、厚み方向の内外に挟まれて密閉される。なお、図４においては、薬剤保持部材１２を省略している。
【００４２】
そして、図２に示されるように、薬剤拡散装置１にはひも状の係止部材１６が軸部材１４に取り付けられている。そして、係止部材１６によって、軸部材１４と軸部材１３に巻き付けられたシート部材１１とをくくりつけ、さらにこの状態で係止部材１６を結んで、シート部材１１が巻かれている状態を維持することができる。
【００４３】
この係止部材１６の構造は、シート部材１１を巻いている状態を維持することができれば上記以外の構造を用いることができる。例えば、ひも状の係止部材１６を結ぶ代わりに、端部に、ボタン、面ファスナー、フックなどを設け、これらを用いてもよい。
【００４４】
また、軸部材１４に袋状の部材を設けて、シート部材１１が巻いている状態を維持するようにしてもよい。そして、この袋状の部材は、軸部材１３に巻き付けられたシート部材１１と軸部材１４とを、ほぼ密着するように入れることができるものであり、シート部材１１の巻き付け状態を維持する場合には、袋状の部材に入れる。このとき、この袋状の部材を開閉できるようにして入れやすくしてもよく、この場合、ファスナーなどの公知の開閉手段を用いることができる。
【００４５】
次に、薬剤拡散装置１の使用方法について説明する。
薬剤拡散装置１を製造した後、使用するまでの間は、図２に示すようにシート部材１１が巻かれている状態としておく。このような状態では、貫通部１１ａによってできる空間は、薬剤の拡散の抑制が可能な材質により構成されたシート部材１１によって囲まれて、ほぼ密閉された状態となり、貫通部１１ａに設けられた薬剤保持部材１２の薬剤の揮散を抑制することができる。また、このシート部材１１が巻かれている状態は係止部材１６によって維持されている。
【００４６】
そして、薬剤拡散装置１を防虫を行う場所に移動させ、係止部材１６による係止を解き、シート部材１１を広げる。このとき、吊り下げ部材１６によって、薬剤拡散装置１を吊り下げて、図１のような状態とする。
【００４７】
軸部材１４は、吊り下げ部材１６によって上側に配置され、軸部材１３は重力によって下側に向かう力が働くので、シート部材１１は短辺部３４と短辺部３２の間で引っ張られて、シート部材１１が広げられた状態となる。
また、軸部材１３及び軸部材１４は、短辺部３４や短辺部３２に対して同じ又は長く、全長域で固定されているので、シート部材１１を平面状に維持させることができる。
【００４８】
シート部材１１が広げられた状態となると、貫通部１１ａに設けられた薬剤保持部材１２が外部に露出し、薬剤の揮散が可能となる。
【００４９】
また、図１（ｂ）に示されるように、貫通部１１ａは表裏を貫通し、また、貫通部１１ａに設けられた薬剤保持部材１２は網状であるので、扇風機やクーラ等の送風、あるいは自然の風が薬剤拡散装置１にあたると、当該風は網の孔を通過する。すなわち薬剤保持部材１２は網状であるため、風が当たると風はほとんど抵抗を受けずに通過して、効率よく薬剤の拡散を行うことができる。したがって、薬剤保持部材１２に保持された薬剤を拡散させやすい。
【００５０】
使用を中断する場合には、軸部材１３を軸としてシート部材１１を巻き付けて、再び、図２に示される状態とし、薬剤保持部材１２に保持された薬剤の揮散を抑制することができる。この状態では、上記のように、薬剤保持部材１２からの薬剤の揮散を抑制することができるので、薬剤拡散装置１を使用したいときだけ使用することができる。
また、薬剤を保持した網状の薬剤保持部材１２は、使用しない状態では、シート部材１１などによって覆われているので、薬剤保持部材１２がべたついている場合でも持ち運びしやすく、販売しやすい。
【００５１】
上記した実施形態では、貫通部１１ａは貫通する孔であったが、図５に示されるような表裏に貫通する切り欠き状の貫通部１１ｂであってもよい。
【００５２】
また、薬剤の残量がわかるようにするため、インジケータを設けてもよい。
このインジケータは、使用時に露出し、使用しないときに露出しない状態となる位置に設置されるものであり、一定時間露出すると表面の色などが変化するものである。設置する位置としては、シート部材１１や、軸部材１３の表面などがある。
【００５３】
そして、一定時間使用することにより、インジケータの色が変化することによって、揮散可能な残りの薬剤の量を知ることができる。具体的には、昇華性のインキが塗布されているものや昇華性結晶を設置したものが用いられ、色の変化や結晶の大きさの変化によって確認することができる。
【００５４】
また、薬剤に、酸化防止剤、光安定剤等を添加したものを用いても良い。さらに軸部材１３に薬剤貯留部を設け、薬剤貯留部から薬剤保持部材１２に薬剤を供給する構成も可能である。
【００５５】
上記した実施形態では、本発明の薬剤拡散装置を防虫剤を拡散させる用途に使用する例を説明したが、香料を拡散させる用途に本発明の薬剤拡散装置を使用することもできる。
【００５６】
シート部材１１の内側に、シート部材１１とは別のシートを貫通部１１ａに配置して、シート部材１１を巻くこともできる。この場合には、貫通部１１ａに配置している薬剤保持部材１２がかかるシートよって覆われた状態となるので、薬剤がシート部材１１に付着することがない。さらに、このシートをシート部材１１と取り外しできるようにしておき、販売時にのみ薬剤保持部材１２を覆うようにしてもよい。
【００５７】
また、上記実施形態では貫通部１１ａ、１１ｂが設けられているものであったが、貫通部１１ａ、１１ｂを設けないシート部材１１を用い、薬剤保持部材１２をシート部材１１に取り付けてもよい。この場合にはシート部材１１を巻いたり広げたりすることにより、薬剤の揮散の調整を行うことができる。
【図面の簡単な説明】
【００５８】
【図１】（ａ）は本発明の薬剤拡散装置の使用状態の斜視図であり、（ｂ）は（ａ）の貫通部付近の拡大斜視図である。
【図２】本発明の薬剤拡散装置の使用しない状態の斜視図である。
【図３】シート部材の斜視図である。
【図４】本発明の薬剤拡散装置の使用しない状態の切り欠き断面図である。
【図５】シート部材の変形例を示す斜視図である。
【符号の説明】
【００５９】
１    薬剤拡散装置
１１  シート部材
１１ａ、１１ｂ  貫通部
１２  薬剤保持部材
１３、１４  軸部材
１５  吊り下げ部材
１６  係止部材
【図１】
2005295883.tif 000003
【図２】
2005295883.tif 000004
【図３】
2005295883.tif 000005
【図４】
2005295883.tif 000006
【図５】
2005295883.tif 000007